(57)【要約】 【課題】複数の医用画像処理装置を有する医用画像処理システムにおいて、グループ化された医用画像に対するデータ処理の精度を維持すること。【解決手段】サーバ２は、検査ＩＤと検像フラグと検像権ユーザとを対応付けた検像管理テーブルを記憶する。そして、検像装置３から検査ＩＤを含む検像権要求信号を受信すると、当該検査ＩＤに対応付けられた検像フラグを検像管理テーブルから読み出し、その検査ＩＤで示される検査の医用画像データＤＴ１に対する検像処理が未検像であるか判定する。このとき、未検像であると判定した場合には、検像の開始を許可する検像許可信号と医用画像データＤＴ１とを検像装置３に送信する。【選択図】図１
2008161640.tif 000002
【特許請求の範囲】
【請求項１】
グループ情報を含む医用画像データを記憶管理する医用画像管理装置と、ユーザ操作に応じたデータ処理を前記医用画像データに施す医用画像処理装置とがデータ通信可能に接続された医用画像処理システムにおいて、
前記医用画像処理装置は、
ユーザ操作に応じて前記グループ情報を選択する選択手段と、
前記選択手段により選択されたグループ情報を前記医用画像管理装置に送信して、当該グループ情報を含む前記医用画像データに対する前記データ処理の開始を要求する要求送信手段と、
前記医用画像管理装置から許可信号を受信した場合に、前記選択手段により選択されたグループ情報を含む医用画像データに前記データ処理を施すデータ処理手段と、を備え、
前記医用画像管理装置は、
同一の前記グループ情報を含む前記医用画像データに対する前記データ処理の進行状況を示すステータス情報を当該グループ情報毎に記憶するステータス記憶手段と、
前記医用画像処理装置から前記グループ情報を受信した場合に、当該グループ情報に対応付けられたステータス情報を前記ステータス記憶手段から読み出し、当該グループ情報を含む前記医用画像データに対するデータ処理が未処理であるか否かを当該ステータス情報に基づいて判定する判定手段と、
前記判定手段により未処理であると判定された場合に、前記受信したグループ情報を含む前記医用画像データに対するデータ処理の開始を許可するための許可信号を前記医用画像処理装置に送信するデータ処理許可手段と、
を備えることを特徴とする医用画像処理システム。
【請求項２】
前記医用画像管理装置は、
前記データ処理許可手段によりデータ処理の開始が許可された前記医用画像データ中の前記グループ情報に対応する前記ステータス情報を、当該データ処理が処理中を示すステータス情報に変更して前記ステータス記憶手段を更新する第１ステータス更新手段を更に備えることを特徴とする請求項１に記載の医用画像処理システム。
【請求項３】
前記医用画像処理装置は、
前記データ処理手段によりデータ処理が施された医用画像データを前記医用画像管理装置に送信する処理済画像送信手段を更に備え、
前記医用画像管理装置は、
前記医用画像処理装置から送信される前記データ処理が施された医用画像データを受信した場合に、当該医用画像データ中の前記グループ情報に対応する前記ステータス情報を、当該データ処理が処理済みを示すステータス情報に変更して前記ステータス記憶手段を更新する第２ステータス更新手段を更に備えることを特徴とする請求項１又は２に記載の医用画像処理システム。
【請求項４】
前記医用画像管理装置は、
前記判定手段により前記医用画像データに対するデータ処理が未処理ではないと判定された場合に、前記データ処理の開始の不許可を示すロック信号を前記医用画像処理装置に送信する不許可手段を更に備え、
前記医用画像処理装置は、
前記医用画像管理装置から前記ロック信号を受信した場合に、前記選択手段により選択された前記グループ情報を含む前記医用画像データに対する前記データ処理の不許可の旨を前記ユーザに通知する通知手段を更に備えることを特徴とする請求項１〜３の何れか一項に記載の医用画像処理システム。
【請求項５】
前記グループ情報は、同一の検査毎に生成された医用画像データを識別するための検査情報を含むことを特徴とする請求項１〜４の何れか一項に記載の医用画像処理システム。
【請求項６】
ユーザ操作に応じたデータ処理を医用画像データに施す医用画像処理装置とデータ通信可能に接続された医用画像管理装置において、
グループ情報を含む医用画像データを記憶管理する画像記憶手段と、
同一の前記グループ情報を含む前記医用画像データに対する前記データ処理の進行状況を示すステータス情報を当該グループ情報毎に記憶するステータス記憶手段と、
前記医用画像処理装置から前記グループ情報を受信した場合に、当該グループ情報に対応付けられたステータス情報を前記ステータス記憶手段から読み出し、当該グループ情報を含む前記医用画像データに対するデータ処理が未処理であるか否かを当該ステータス情報に基づいて判定する判定手段と、
前記判定手段により未処理であると判定された場合に、前記受信したグループ情報を含む前記医用画像データに対するデータ処理の開始を許可するための許可信号を前記医用画像処理装置に送信するデータ処理許可手段と、
を備えることを特徴とする医用画像管理装置。
【請求項７】
前記データ処理許可手段によりデータ処理の開始が許可された前記医用画像データ中の前記グループ情報に対応する前記ステータス情報を、当該データ処理が処理中を示すステータス情報に変更して前記ステータス記憶手段を更新する第１ステータス更新手段を更に備えることを特徴とする請求項６に記載の医用画像管理装置。
【請求項８】
前記医用画像処理装置から送信される前記データ処理が施された医用画像データを受信した場合に、当該医用画像データ中の前記グループ情報に対応する前記ステータス情報を、当該データ処理が処理済みを示すステータス情報に変更して前記ステータス記憶手段を更新する第２ステータス更新手段を更に備えることを特徴とする請求項６又は７に記載の医用画像管理装置。
【請求項９】
前記判定手段により前記医用画像データに対するデータ処理が未処理ではないと判定された場合に、前記データ処理の開始の不許可を示すロック信号を前記医用画像処理装置に送信する不許可手段を更に備えることを特徴とする請求項６〜８の何れか一項に記載の医用画像管理装置。
【請求項１０】
前記グループ情報は、同一の検査毎に生成された医用画像データを識別するための検査情報を含むことを特徴とする請求項６〜９の何れか一項に記載の医用画像管理装置。
【請求項１１】
コンピュータを、
グループ情報を含む医用画像データを記憶管理する画像記憶手段、
同一の前記グループ情報を含む前記医用画像データに対するデータ処理の進行状況を示すステータス情報を当該グループ情報毎に記憶するステータス記憶手段、
医用画像処理装置から前記グループ情報を受信した場合に、当該グループ情報に対応付けられたステータス情報を前記ステータス記憶手段から読み出し、当該グループ情報を含む前記医用画像データに対するデータ処理が未処理であるか否かを当該ステータス情報に基づいて判定する判定手段、
前記判定手段により未処理であると判定された場合に、前記受信したグループ情報を含む前記医用画像データに対するデータ処理の開始を許可するための許可信号を前記医用画像処理装置に送信するデータ処理許可手段、
として機能させるためのプログラム。
【発明の詳細な説明】
【技術分野】
【０００１】
本発明は、グループ情報を含む医用画像データを記憶管理する医用画像管理装置と、ユーザ操作に応じたデータ処理を前記医用画像データに施す複数の医用画像処理装置とがデータ通信可能に接続された医用画像処理システム、当該医用画像管理装置及びプログラムに関する。
【背景技術】
【０００２】
人体を撮影して、被写体の画像を含む医用画像データを生成するＣＴ（Computed Tomography）やＣＲ（Computed Radiography）、ＭＲＩ（Magnetic Resonance Imaging）、乳房撮影装置、超音波診断装置等といった様々な医用画像生成装置（以下、「モダリティ」という。）は、各種システムへ統合化される傾向にある。
【０００３】
具体的には、ＨＩＳ（Hospital Information System：病院情報システム）やＲＩＳ（Radiological Information System：放射線情報システム）から患者情報や検査情報を含むオーダ情報が送信され、モダリティは、撮影技師の操作に従ってそのオーダ情報に基づいた撮影を行う。
【０００４】
そして、その撮影によって得られた画像を含む医用画像データを、例えば、ＤＩＣＯＭ（Digital Imaging and Communications in Medicine）規格に基づいたデータ形式で生成する。医用画像の撮影においては、同一の検査部位の断層画像が連続的に撮影されたり、同一の検査部位に対して複数のモダリティが使用されたり、造影剤の使用や撮影方法を変えて撮影が行われるため、一つの検査で複数の医用画像データが生成される。
【０００５】
このような一つの検査の中で生成される同種類のモダリティで撮影された一連の医用画像データの単位をシリーズという。このシリーズに関する技術としては、例えば、画像処理部による画像処理の条件に基づいて医用画像データを同一の又は異なるシリーズに区分けして記憶部に記憶する技術が知られている（特許文献１参照）。
【０００６】
モダリティで生成された医用画像データは、ＰＡＣＳ（Picture Archiving and Communication System：画像保管管理システム）にデータ転送される。ＰＡＣＳは、医用画像データを記憶管理するサーバとしての医用画像管理装置と、その医用画像データを表示するクライアント端末とが通信回線網を介してデータ通信可能に構成されている。
【０００７】
撮影技師は、読影医による読影の前に、モダリティがオーダ情報通りの撮影を行ったか、診断に適した画質の医用画像であるか、医用画像データに含まれる各種情報が正しいか等を事前にチェック・確認する必要がある。このような点から、読影前に医用画像データの確認及び修正を行う（以下、医用画像データの確認及び修正等を行う行為を「検像」という。）機能の実装が望まれている。
【０００８】
上述のＰＡＣＳに検像機能を実装する場合には、クライアント端末側に実装されることとなる。即ち、クライアント端末は、医用画像データをサーバから通信回線網を介して受信して表示し、ユーザ操作に応じてその医用画像データの修正等のデータ処理を施す。
【０００９】
【特許文献１】特開２００６−２８０５９８号公報
【発明の開示】
【発明が解決しようとする課題】
【００１０】
ところで、検像機能を有するクライアント端末が複数台ある場合は、サーバが記憶管理する医用画像データに各クライアント端末がアクセス可能になってしまうため、検像中の医用画像に対しては排他制御を行って複数のユーザによる検像をロックしなければならない。
【００１１】
しかし、特許文献１の技術のようなシリーズや検査といった単位でグループ化された一連の医用画像に対する検像は、一人の技師によって行われるのが一般的であり、その検像にはある程度の時間を要する。
【００１２】
このため、グループ化された複数の医用画像に対して検像を行う際には、その個々の医用画像に対して他のユーザの検像できないように、予めその複数の医用画像に対してロックをかけるよう医用画像毎に設定を行わなければならなく、煩雑であった。
【００１３】
仮に、検像済みの医用画像に再度検像が行われた場合は、その医用画像に複数人の技師による検像操作が加わるため、検像の精度が低下し、読影医による読影の妨げになってしまった。
【００１４】
本発明は、上述した課題に鑑みて為されたものであり、その目的とするところは、複数の医用画像処理装置を有する医用画像処理システムにおいて、グループ化された医用画像に対するデータ処理の精度を維持することである。
【課題を解決するための手段】
【００１５】
以上の課題を解決するために、請求項１に記載の発明は、
グループ情報を含む医用画像データを記憶管理する医用画像管理装置と、ユーザ操作に応じたデータ処理を前記医用画像データに施す医用画像処理装置とがデータ通信可能に接続された医用画像処理システムにおいて、
前記医用画像処理装置は、
ユーザ操作に応じて前記グループ情報を選択する選択手段と、
前記選択手段により選択されたグループ情報を前記医用画像管理装置に送信して、当該グループ情報を含む前記医用画像データに対する前記データ処理の開始を要求する要求送信手段と、
前記医用画像管理装置から許可信号を受信した場合に、前記選択手段により選択されたグループ情報を含む医用画像データに前記データ処理を施すデータ処理手段と、を備え、
前記医用画像管理装置は、
同一の前記グループ情報を含む前記医用画像データに対する前記データ処理の進行状況を示すステータス情報を当該グループ情報毎に記憶するステータス記憶手段と、
前記医用画像処理装置から前記グループ情報を受信した場合に、当該グループ情報に対応付けられたステータス情報を前記ステータス記憶手段から読み出し、当該グループ情報を含む前記医用画像データに対するデータ処理が未処理であるか否かを当該ステータス情報に基づいて判定する判定手段と、
前記判定手段により未処理であると判定された場合に、前記受信したグループ情報を含む前記医用画像データに対するデータ処理の開始を許可するための許可信号を前記医用画像処理装置に送信するデータ処理許可手段と、
を備えることを特徴としている。
【００１６】
請求項２に記載の発明は、請求項１に記載の発明において、
前記データ処理許可手段によりデータ処理の開始が許可された前記医用画像データ中の前記グループ情報に対応する前記ステータス情報を、当該データ処理が処理中を示すステータス情報に変更して前記ステータス記憶手段を更新する第１ステータス更新手段を更に備えることを特徴としている。
【００１７】
請求項３に記載の発明は、請求項１又は２に記載の発明において、
前記医用画像処理装置は、
前記データ処理手段によりデータ処理が施された医用画像データを前記医用画像管理装置に送信する処理済画像送信手段を更に備え、
前記医用画像管理装置は、
前記医用画像処理装置から送信される前記データ処理が施された医用画像データを受信した場合に、当該医用画像データ中の前記グループ情報に対応する前記ステータス情報を、当該データ処理が処理済みを示すステータス情報に変更して前記ステータス記憶手段を更新する第２ステータス更新手段を更に備えることを特徴としている。
【００１８】
請求項４に記載の発明は、請求項１〜３の何れか一項に記載の発明において、
前記医用画像管理装置は、
前記判定手段により前記医用画像データに対するデータ処理が未処理ではないと判定された場合に、前記データ処理の開始の不許可を示すロック信号を前記医用画像処理装置に送信する不許可手段を更に備え、
前記医用画像処理装置は、
前記医用画像管理装置から前記ロック信号を受信した場合に、前記選択手段により選択された前記グループ情報を含む前記医用画像データに対する前記データ処理の不許可の旨を前記ユーザに通知する通知手段を更に備えることを特徴としている。
【００１９】
請求項５に記載の発明は、請求項１〜４の何れか一項に記載の発明において、
前記グループ情報は、同一の検査毎に生成された医用画像データを識別するための検査情報を含むことを特徴としている。
【００２０】
請求項６に記載の発明は、ユーザ操作に応じたデータ処理を医用画像データに施す医用画像処理装置とデータ通信可能に接続された医用画像管理装置において、
グループ情報を含む医用画像データを記憶管理する画像記憶手段と、
同一の前記グループ情報を含む前記医用画像データに対する前記データ処理の進行状況を示すステータス情報を当該グループ情報毎に記憶するステータス記憶手段と、
前記医用画像処理装置から前記グループ情報を受信した場合に、当該グループ情報に対応付けられたステータス情報を前記ステータス記憶手段から読み出し、当該グループ情報を含む前記医用画像データに対するデータ処理が未処理であるか否かを当該ステータス情報に基づいて判定する判定手段と、
前記判定手段により未処理であると判定された場合に、前記受信したグループ情報を含む前記医用画像データに対するデータ処理の開始を許可するための許可信号を前記医用画像処理装置に送信するデータ処理許可手段と、
を備えることを特徴としている。
【００２１】
請求項７に記載の発明は、請求項６に記載の発明において、
前記データ処理許可手段によりデータ処理の開始が許可された前記医用画像データ中の前記グループ情報に対応する前記ステータス情報を、当該データ処理が処理中を示すステータス情報に変更して前記ステータス記憶手段を更新する第１ステータス更新手段を更に備えることを特徴としている。
【００２２】
請求項８に記載の発明は、請求項６又は７に記載の発明において、
前記医用画像処理装置から送信される前記データ処理が施された医用画像データを受信した場合に、当該医用画像データ中の前記グループ情報に対応する前記ステータス情報を、当該データ処理が処理済みを示すステータス情報に変更して前記ステータス記憶手段を更新する第２ステータス更新手段を更に備えることを特徴としている。
【００２３】
請求項９に記載の発明は、請求項６〜８の何れか一項に記載の発明において、
前記判定手段により前記医用画像データに対するデータ処理が未処理ではないと判定された場合に、前記データ処理の開始の不許可を示すロック信号を前記医用画像処理装置に送信する不許可手段を更に備えることを特徴としている。
【００２４】
請求項１０に記載の発明は、請求項６〜９の何れか一項に記載の発明において、
前記グループ情報は、同一の検査毎に生成された医用画像データを識別するための検査情報を含むことを特徴としている。
【００２５】
請求項１１に記載のプログラムは、コンピュータを、
グループ情報を含む医用画像データを記憶管理する画像記憶手段、
同一の前記グループ情報を含む前記医用画像データに対するデータ処理の進行状況を示すステータス情報を当該グループ情報毎に記憶するステータス記憶手段、
医用画像処理装置から前記グループ情報を受信した場合に、当該グループ情報に対応付けられたステータス情報を前記ステータス記憶手段から読み出し、当該グループ情報を含む前記医用画像データに対するデータ処理が未処理であるか否かを当該ステータス情報に基づいて判定する判定手段、
前記判定手段により未処理であると判定された場合に、前記受信したグループ情報を含む前記医用画像データに対するデータ処理の開始を許可するための許可信号を前記医用画像処理装置に送信するデータ処理許可手段、
として機能させることを特徴としている。
【発明の効果】
【００２６】
請求項１、６及び１１に記載の発明によれば、ステータス情報に基づいて医用画像データに対するデータ処理が未処理であると判定した場合に、許可信号を医用画像処理装置に送信するため、グループ情報に基づいてグループ化された医用画像データに対するデータ処理が未処理である場合に当該データ処理が行われる。このため、グループ化された医用画像データに対するデータ処理が複数のユーザによって行われることを防止できる。従って、複数の医用画像処理装置を有する医用画像処理システムにおいて、グループ化された医用画像に対するデータ処理の精度を維持することができる。
【００２７】
請求項２及び７に記載の発明によれば、データ処理の開始が許可された医用画像データ中のグループ情報に対応するステータス情報を、処理中を示すステータス情報に変更するため、グループ化された医用画像データに対するデータ処理の進行状況を管理することができる。
【００２８】
請求項３及び８に記載の発明によれば、データ処理が施された医用画像データを医用画像処理装置から受信した場合に、グループ情報に対応付けられたステータス情報を、処理済みを示すステータス情報に変更するため、グループ化された医用画像データに対するデータ処理の進行状況を管理することができる。
【００２９】
請求項４及び９に記載の発明によれば、医用画像データに対するデータ処理が未処理ではないと判定した場合に、ロック信号を医用画像処理装置に送信してデータ処理が不許可である旨をユーザに通知するため、グループ化された医用画像データに対するデータ処理が処理済みあることや処理中であることをユーザに通知することができる。
【００３０】
請求項５及び１０に記載の発明によれば、グループ情報が検査情報を含むため、同一検査の医用画像データに対するデータ処理が複数のユーザによって行われることを防止できる。
【発明を実施するための最良の形態】
【００３１】
以下、本発明の医用画像処理システムを図１のＰＡＣＳ１に適用した場合の実施形態について図１〜図１１を参照して説明する。
【００３２】
先ず、ＰＡＣＳ１を有する放射線科システムＳのシステム構成について図１を用いて説明する。図１は、放射線科システムＳのシステム構成の一例を示すブロック図である。図１によれば、放射線科システムＳは、モダリティＭと、ＰＡＣＳ１と、ＲＩＳ（放射線情報システム）５とが通信ネットワークＮに接続されて、それぞれがデータ通信可能に構成されている。
【００３３】
ＲＩＳ５は、ＣＰＵ（Central Processing Unit）や記憶部、入力部、表示部、通信部等を有するコンピュータにより構成され、放射線科部門内における診療予約、診断結果のレポート、実績管理、材料在庫管理等の情報管理を行い、放射線科システムＳ内の情報を統括的に管理するシステムである。
【００３４】
ＲＩＳ５はＨＩＳから送信されたオーダ情報ＤＴ５を受信し、そのオーダ情報ＤＴ５に基づいて、撮影を行うモダリティＭを判別して、当該オーダ情報ＤＴ５をモダリティＭに送信する。また、モダリティＭへのオーダ情報ＤＴ５の送信と共に、ＰＡＣＳ１のサーバ２へも同じオーダ情報ＤＴ５を送信する。
【００３５】
オーダ情報ＤＴ５とは、撮影や診察のオーダの内容を示すデータであり、患者情報、検査情報及びシリーズ情報を含む。患者情報は、撮影を行う患者の受付番号や氏名、ＩＤ、性別等の患者毎に設定されたデータである。検査情報は、医師がオーダした検査を識別する検査ＩＤ、検査部位、撮影方向及び体位といった検査条件を示すデータである。
【００３６】
また、シリーズ情報は、一つの検査の中で生成されるモダリティＭ毎の一連の医用画像データの単位を示すシリーズＩＤや当該モダリティＭの種別を含むデータである。ここで、シリーズとは、一つの検査の中で生成される同じ種類のモダリティで撮影された一連の医用画像データの単位のことをいう。
【００３７】
モダリティＭは、ＣＴやＣＲ、ＭＲＩ、乳房撮影装置、超音波診断装置等であり、撮影技師の操作に従って撮影して得られた画像のデータ信号をＤＩＣＯＭ規格に則したデジタルデータに変換して医用画像データＤＴ１を生成する。モダリティＭは、生成した医用画像データＤＴ１をＰＡＣＳ１のサーバ２に送信する。
【００３８】
例えば、ＣＲは、被写体に放射線を照射して、その被写体を透過した放射線をプレート状の輝尽性蛍光体に吸収させる。そして、この輝尽性蛍光体を例えばレーザ光で走査しながら励起することにより、この輝尽性蛍光体が蓄積している放射線エネルギを発光させ、その発光を光電変換して得られた放射線画像のデータ信号をデジタル変換して被写体の画像データを生成する。
【００３９】
図１に、医用画像データＤＴ１のデータ構造の一例を示す。図１によれば、医用画像データＤＴ１は、付帯情報ＤＴ２と、実画像データＤＴ３とを有して構成される。グループ情報としての付帯情報ＤＴ２は、患者情報ＤＴ２０と、検査情報ＤＴ２１と、シリーズ情報ＤＴ２２とを含み、例えば、ＤＩＣＯＭ規格に則って記述される。これらのグループ情報は、ＲＩＳ５から送信されたオーダ情報ＤＴ５に基づいて設定される。
【００４０】
ＰＡＣＳ１は、モダリティＭから送信される医用画像データＤＴ１を保存管理し、検索やデータ解析を行うデータベースシステムであり、図１に示すようにサーバ２と、クライアント端末としての検像装置３（３ａ，３ｂ）とが通信ネットワークＮを介して接続されて構成される。
【００４１】
サーバ２は、モダリティＭから受信した医用画像データＤＴ１に含まれる付帯情報ＤＴ２に基づいて当該医用画像データＤＴ１を蓄積的に記憶していく。そして、検像装置３側でのユーザの操作指示に応じて指定された患者ＩＤや検査ＩＤ等を検索キーとして医用画像データＤＴ１を検索し、当該検像装置３に送信する。
【００４２】
検像装置３は、医用画像データＤＴ１に基づいた医用画像を表示し、ユーザ操作に応じたデータ処理を当該医用画像データＤＴ１に施す医用画像処理装置である。ユーザが医用画像データＤＴ１を検像装置３において指定すると、その医用画像データＤＴ１がサーバ２から読み出されて表示される。
【００４３】
ユーザは、検像装置３において検像を行う。検像とは、オーダ情報ＤＴ５通りの撮影を行ったか、実画像データＤＴ３が診断に適した画質であるか、オーダ情報ＤＴ５と付帯情報ＤＴ２との整合性が取れているか等を読影医による読影の前に確認及び修正する行為である。撮影技師等のユーザが各医用画像データＤＴ１の検像を行った後に、読影医による読影が可能な医用画像データＤＴ１として記憶管理されるようになる。
【００４４】
次に、サーバ２の機能構成について説明する。図２は、サーバ２と検像装置３との機能構成の一例を示すブロック図である。図２によれば、サーバ２は、ＣＰＵ２０と、入力部２１、表示部２２と、通信部２３と、ＲＡＭ（Random Access Memory）２４と、記憶部２５とを備えて構成される。
【００４５】
ＣＰＵ２０は、各機能部の動作の制御と、機能部間のデータ入出力の制御等を行うことで検像装置３を統括的に管理・制御する制御部である。具体的には、入力部２１から入力される操作信号に応じてＲＯＭや記憶部２５に格納されたプログラムを読み出し、当該プログラムに従った処理を実行する。そして、その処理結果に基づいて、表示部２２の表示画面の更新や記憶部２５へのデータの記憶、通信部２３を介した外部機器とのデータ通信等を行う。
【００４６】
入力部２１は、カーソルキーやテンキー等の各種キー群や、マウスやタッチパネル等のポインティングデバイスを備えて構成される。入力部２１は、ユーザに押下されたキーに対応する操作信号や、ポインティングデバイスにより指定された画面上の座標位置に対応する操作信号をＣＰＵ２０に出力する。
【００４７】
表示部２２は、ＣＲＴ（Cathode-ray Tube）やＬＣＤ等により構成され、ＣＰＵ２０の制御に基づいた表示画面の表示や、医用画像データＤＴ１の再生表示等を行う。通信部２３は、ＬＡＮインターフェイス等により構成され、通信ネットワークＮを介してＲＩＳ５やモダリティＭ、ＰＡＣＳ１等の外部機器との間でデータ通信を行う機能部である。
【００４８】
ＲＡＭ２４は、書き換え可能な半導体素子等で構成され、ＣＰＵ２０が実行する各種プログラムやこれらのプログラムの実行に係るデータ等を一時的に保持する。
【００４９】
記憶部２５は、データの読み書きを行う不揮発性のメモリであり、フラッシュメモリやＨＤＤ（Hard Disk Drive）等により構成される。記憶部２５は、各種初期設定、ハードウェアの検査、又は必要なプログラムのロード等を行うための初期プログラムを格納する。
【００５０】
図３（ａ）に記憶部２５のデータ構成例を示す。図３（ａ）によれば、記憶部２５は、検像待ち画像ＤＢ２５０と、オーダ情報ＤＢ２５１と、検像済み画像ＤＢ２５２と、検像リストデータ２５３と、検像管理テーブル２５４とを記憶している。
【００５１】
検像待ち画像ＤＢ２５０は、モダリティＭから通信部２３を介して受信した医用画像データＤＴ１を蓄積的に記憶するデータベースである。オーダ情報ＤＢ２５１は、ＲＩＳ５から通信部２３を介して受信したオーダ情報ＤＴ５を蓄積的に記憶するデータベースである。
【００５２】
ＣＰＵ２０は、ＲＩＳ５からオーダ情報ＤＴ５を受信すると、当該オーダ情報ＤＴ５をオーダ情報ＤＢ２５１に記憶する。また、モダリティＭから医用画像データＤＴ１を受信すると、当該医用画像データＤＴ１を検像待ち画像ＤＢ２５０に記憶する。
【００５３】
検像済み画像ＤＢ２５２は、ユーザによる検像が行われた医用画像データＤＴ１を蓄積的に記憶するデータベースである。ＣＰＵ２０は、ユーザの検像操作に応じたデータ処理（例えば、図５及び６に示す検像処理）を検像待ち画像ＤＢ２５０に記憶された医用画像データＤＴ１に施し、そのデータ処理後の医用画像データＤＴ１を検像済み画像ＤＢ２５２に記憶する。
【００５４】
検像リストデータ２５３は、図７に示すような検像リスト画面１００中の一覧リストを表示させるためのデータテーブルである。図３（ｂ）に検像リストデータ２５３のデータ構成例を示す。
【００５５】
図３（ｂ）によれば、検像リストデータ２５３は、受信日時２５３ａ、検査ＩＤ２５３ｂ、患者ＩＤ２５３ｃ、氏名２５３ｄ、モダリティ情報２５３ｅ、検像状況２５３ｆ及び不整合フラグ２５３ｇといった各々の項目のデータを対応付けて記憶するデータテーブルである。
【００５６】
受信日時２５３ａは、医用画像データＤＴ１をモダリティＭから受信した日時を示すデータであり、ＣＰＵ２０によって設定される。検査ＩＤ２５３ｂ、患者ＩＤ２５３ｃ及び氏名２５３ｄは、受信した医用画像データＤＴ１に含まれる付帯情報ＤＴ２に基づいて設定される。
【００５７】
モダリティ情報２５３ｅが、医用画像データＤＴ１を受信したモダリティＭの種別を示すデータであり、付帯情報ＤＴ２に基づいて設定される。検像状況２５３ｆは、医用画像データＤＴ１の検像の状況を示すデータであり、後述する検像管理テーブル２５４の検像フラグ２５４ｂが設定される。
【００５８】
不整合フラグ２５３ｇは、検査ＩＤ２５３ｂ及び患者ＩＤ２５３ｃで示される医用画像データＤＴ１の付帯情報ＤＴ２と、オーダ情報ＤＴ５とが一致するか否かを示すデータである。ＣＰＵ２０は、同一の検査ＩＤ２５３ｂ及び患者ＩＤ２５３ｃを含む医用画像データＤＴ１の付帯情報ＤＴ２とオーダ情報ＤＴ５とを検像待ち画像ＤＢ２５０及びオーダ情報ＤＢ２５１から読み出し、当該付帯情報ＤＴ２とオーダ情報ＤＴ５内の予め定められた項目毎のデータを比較する。
【００５９】
そして、その比較の結果、一致しない項目のデータがあると判定した場合には不一致を示すフラグ（例えば、‘１’）を、一致すると判定した場合には一致を示すフラグ（例えば、‘０’）を不整合フラグ２５３ｇとして記憶する。この検像リストデータ２５３に基づくことで、図７に示すような一覧リスト１０１が表示される。図７の検像リスト画面１００では、不整合フラグ２５３ｇに基づいて付帯情報ＤＴ２とオーダ情報ＤＴ５とに不一致があることが不整合表示領域１０６に表示される。
【００６０】
検像リスト画面１００は、検像リストデータ２５３に基づいて一覧リスト１０１を表示する画面であり、図７に示すように一覧リスト１０１の他に検査選択ボタン１０４を有して構成される。検査選択ボタン１０４は、一覧リスト１０１中からユーザが所望する検査を選択するためのボタンである。
【００６１】
検像リストデータ２５３は、サーバ２から各検像装置３に送信される。そして、検像リストデータ２５３に基づいた検像リスト画面１００が各検像装置３において表示される。
【００６２】
ユーザは、検像装置３の入力部３１のマウス等を操作して一覧リスト１０１中から所望の検査の医用画像データＤＴ１を指定する。そして、その指定した状態で検査選択ボタン１０４をマウス等で押下・指定すると、当該指定した医用画像データＤＴ１と同一の検査ＩＤを含む医用画像データＤＴ１がユーザの検像を行う対象のデータとして選択される。図６の例では、検査ＩＤが「１１１１１１１１」の医用画像データＤＴ１が選択されることとなる。
【００６３】
図３（ａ）の検像管理テーブル２５４は、検査毎にグループ化された医用画像データＤＴ１の検像状態を管理するためのデータテーブルであり、図３（ｃ）に示すデータ構成例のように、検査ＩＤ２５４ａと、検像フラグ２５４ｂと、検像権ユーザ２５４ｃといった項目のデータを対応付けて記憶する。
【００６４】
ステータス情報としての検像フラグ２５４ｂは、ユーザの検像による医用画像データＤＴ１に対するデータ処理の進行状況を示すデータであり、ＣＰＵ２０により設定される。検像フラグ２５４ｂには、検像がまだ行われていない‘未検像’を示す‘０’と、検像が既に終了している‘検像済’を示す‘１’と、検像が行われている途中である‘検像中’を示す‘２’といった値のフラグが予め定められている。
【００６５】
初期設定では検像フラグ２５４ｂは‘未検像’に設定されている。そして、ユーザが検像を行う権利（以下、この権利を「検像権」という。）取得のための信号（以下、「検像権要求信号」という。）を検像装置３から受信した場合に、検像フラグ２５４ｂは、‘検像中’に変更される。
【００６６】
具体的には、検像装置３側では、ユーザの検像権を取得するために、ログイン処理（後述）時に入力されたユーザ情報（例えば、ＩＤや氏名）を検像権要求信号としてサーバ２に送信する。サーバ２側のＣＰＵ２０は、複数の検像装置３から送信されてくるユーザ情報のうちの最初に受信したユーザ情報を検像権ユーザ２５４ｃとして検像管理テーブル２５４に記憶すると共に、検像フラグ２５４ｂを‘検像中’に変更する。
【００６７】
ＣＰＵ２０は、検像装置３から検像権要求信号を受信すると、その検像権要求信号により要求された医用画像データＤＴ１に対する検像が未検像であるか否かを検像管理テーブル２５４に基づいて判定する。そして、検像フラグ２５４ｂが‘未検像’であった場合には、検像許可信号を生成して、当該検像装置３に送信すると共に、選択された検査の医用画像データＤＴ１を検像待ち画像ＤＢ２５０から読み出して送信する。検像許可信号は、要求された検像の開始を許可するための信号であり、例えば、当該検像が要求された検査の検査ＩＤ等を含む。
【００６８】
検像装置３側では、検像許可信号を受信すると、サーバ２からの医用画像データＤＴ１の送信を待機して、受信した医用画像データＤＴ１に検像処理を開始する。
【００６９】
また、ＣＰＵ２０は、検像権要求信号を受信した際に、その検像権要求信号に基づいて検像が要求された検査が検像済であるか、検像中であるかを検像管理テーブル２５４の検像フラグ２５４ｂに基づいて判定する。
【００７０】
具体的には、検像管理テーブル２５４において検像権要求信号に含まれる検査ＩＤに対応付けられた検像フラグ２５４ｂが‘１’であった場合には、選択された検査（以下「選択検査」という）が検像済みであると判定して、その旨を示す信号（検像済信号）を検像装置３に送信する。
【００７１】
また、検像フラグ２５４ｂが‘２’である場合には選択検査が検像中であると判定して、検像権要求信号を送信した検像装置３に対して、検像が他の検像装置３において行われていることを示す信号（検像ロック信号）を検像装置３に送信して、その旨を通知する。
【００７２】
このように、検像装置３から受信した検像権要求信号に含まれる検査ＩＤに基づいて、検像の進行状況が判定され、検像許可信号、検像済信号及び検像ロック信号が当該検像装置３に送信されて、その検像の進行状況が通知されることとなる。
【００７３】
次に、検像装置３の機能構成について説明する。検像装置３は、図２に示すようにＣＰＵ３０、入力部３１、表示部３２、通信部３３、ＲＡＭ３４及び記憶部３５を備えて構成される。尚、検像装置３が有する各機能部の詳細については、上述したサーバ２が有する各機能部と同等であるための、その詳細な説明は省略する。
【００７４】
図３（ｄ）に記憶部３５のデータ構成例を示す。図３（ｄ）によれば、記憶部３５は、ユーザ情報３５０と、検像画像テーブル３５１と、オーダ情報テーブル３５２とを記憶している。
【００７５】
ユーザ情報３５０は、ユーザの入力部３１の操作により入力される個々のユーザを識別するためのデータであり、例えば、ユーザ名やＩＤ、パスワードを含む。ＣＰＵ３０は、検像処理の開始前に入力部３１の操作に応じて入力されるユーザ情報３５０を取得して記憶部３５に記憶する。そして、検像権の取得をサーバ２に要求する際には、このユーザ情報３５０を含む検像権要求信号をサーバ２に送信する。
【００７６】
検像画像テーブル３５１は、サーバ２から受信した医用画像データＤＴ１を一時的に記憶するデータテーブルである。また、オーダ情報テーブル３５２は、サーバ２から受信したオーダ情報ＤＴ５を一時的に記憶するデータテーブルである。
【００７７】
ＣＰＵ３０は、サーバ２から上述した検像リストデータ２５３を受信し、当該検像リストデータ２５３に基づいて検像リスト画面１００を表示部３２に表示させる。そして、検査選択ボタン１０４の指定に応じて選択された検査の検査ＩＤをサーバ２に送信して、当該検査ＩＤを含む医用画像データＤＴ１とオーダ情報ＤＴ５とをサーバ２から受信する。
【００７８】
ＣＰＵ３０は、その受信した医用画像データＤＴ１とオーダ情報ＤＴ５とのそれぞれを検像画像テーブル３５１とオーダ情報テーブル３５２とに記憶する。そして、同一の検査ＩＤを含む付帯情報ＤＴ２とオーダ情報ＤＴ５とを検像画像テーブル３５１及びオーダ情報テーブル３５２から読み出して、付帯情報ＤＴ２の不整合の修正や医用画像の確認及び調整といった検像処理を行う。
【００７９】
図９の不整合修正画面１１０は、検像処理における表示画面であり、付帯情報ＤＴ２及びオーダ情報ＤＴ５の所定の項目のデータを一覧表示すると共に、部分書換ボタン１１１と、一括書換ボタン１１２とが表示される。
【００８０】
ＣＰＵ２０は、部分書換ボタン１１１のユーザによる指定を検知した場合には、その部分書換ボタン１１１の項目に対応する付帯情報ＤＴ２を当該付帯情報ＤＴ２に対応付けられたオーダ情報ＤＴ５で書き換える。
【００８１】
また、一括書換ボタン１１２の指定を検知した場合には、不整合修正画面１１０に表示中の全ての付帯情報ＤＴ２を、当該付帯情報ＤＴ２に対応付けられたオーダ情報ＤＴ５で書き換える。そして、ＣＰＵ２０は、ＯＫボタン１１４の指定を検知した場合には、その書き換えた付帯情報ＤＴ２を検像画像テーブル３５１中の医用画像データＤＴ１の付帯情報ＤＴ２として設定・更新する。
【００８２】
また、不整合修正画面１１０による付帯情報ＤＴ２の修正後、ＣＰＵ２０は、図１０に示すような画像確認画面１２０を表示させる。画像確認画面１２０は、ユーザが医用画像の画質を確認したり、シリーズ分割等を行うための表示画面であり、検像画像テーブル３５１に記憶された同一の検査ＩＤを有する医用画像データＤＴ１が一覧表示される。
【００８３】
画像確認画面１２０には、再生表示された医用画像毎にＯＫボタン１２２及びＮＧボタン１２３が表示されると共に、画像処理ボタン１２４と、シリーズ分割ボタン１２５と、検査終了ボタン１２６とが表示される。
【００８４】
画像処理ボタン１２４は、画像確認画面１２０に表示している医用画像に画像処理を施すためのボタンであり、より詳しくは濃度ボタン、コントラストボタン、反転／回転ボタン及びマスキングボタン等を有する。ＣＰＵ３０は、これらの画像処理ボタン１２４の指定を検知すると、その指定された画像処理ボタン１２４に応じた画像処理を表示中の医用画像データＤＴ１の実画像データＤＴ３に施して検像画像テーブル３５１を更新する。
【００８５】
具体的には、例えば、コントラストボタンのユーザによるスライドを検知した場合には、そのスライドの比率に応じて実画像データＤＴ３のコントラストを調整して当該実画像データＤＴ３を更新する。
【００８６】
シリーズ分割ボタン１２５は、同一のシリーズの医用画像データＤＴ１を複数のシリーズに分割するためのシリーズ分割画面１３０（図１１参照）を表示させるためのボタンである。シリーズ分割画面１３０には、図１１に示すように複数のシリーズ領域１３１が表示される。各シリーズ領域１３１は、同一シリーズの医用画像データＤＴ１を区分して表示するための表示領域である。
【００８７】
ＣＰＵ３０は、検像画像テーブル３５１に記憶された同一の検査ＩＤを有する医用画像データＤＴ１のシリーズ情報ＤＴ２２に基づいて、同一のシリーズＩＤを有する医用画像データＤＴ１をシリーズ領域１３１毎に表示せる。図１１においては、医用画像１３２ａ〜１３２ｃが同一のシリーズとしてシリーズ領域１３１に表示されている。
【００８８】
ユーザは、この同一シリーズの医用画像１３２を他のシリーズとして分割する際には、入力部３１を操作（例えば、ドラッグアンドドロップ操作）して、所望の医用画像を指定して他のシリーズ領域１３１に移動させるシリーズ分割操作を行う。ＣＰＵ３０は、このシリーズ分割操作を検知した際には、その指定された医用画像データＤＴ１のシリーズ情報ＤＴ２２を新たなシリーズ情報ＤＴ２２で更新することで、シリーズの分割を行う。
【００８９】
検像装置３のＣＰＵ３０は、検像処理を終了すると、検像画像テーブル３５１に記憶している検像済みの医用画像データＤＴ１をサーバ２に送信する。サーバ２のＣＰＵ２０は、検像済みの医用画像データＤＴ１を検像装置３から受信すると、当該医用画像データＤＴ１を検像済み画像ＤＢ２５２に記憶すると共に、その医用画像データＤＴ１の検査ＩＤ２５４ａに対応づけられた検像管理テーブル２５４の検像フラグ２５４ｂを‘検像済’に変更する。
【００９０】
即ち、検像装置３における検像処理が終了すると、検像フラグ２５４ｂは‘検像済’に変更される。このようにして、検像管理テーブル２５４では、検査ＩＤ２５４ａで示される検査の医用画像データＤＴ１に対する検像の進行状況と、その検像の権利が与えられたユーザとが管理される。
【００９１】
次に、ＰＡＣＳ１の具体的な動作について図４〜図６のフローチャートと、図７〜図１１の表示画面例を参照して説明する。
【００９２】
先ず、サーバ２のＣＰＵ２０は、ＲＩＳ５から送信されてくるオーダ情報ＤＴ５を受信して、当該オーダ情報ＤＴ５をオーダ情報ＤＢ２５１に記憶する（ステップＡ１）。また、モダリティＭから送信されてくる医用画像データＤＴ１を受信して、当該医用画像データＤＴ１を検像待ち画像ＤＢ２５０に記憶する（ステップＡ２）。
【００９３】
ＣＰＵ２０は、検像待ち画像ＤＢ２５０に記憶した医用画像データＤＴ１の付帯情報ＤＴ２と、オーダ情報ＤＢ２５１に記憶したオーダ情報ＤＴ５に基づいて検像リストデータ２５３を作成して、検像装置３に送信する（ステップＡ３）。
【００９４】
そして、検像待ち画像ＤＢ２５０に記憶した医用画像データＤＴ１に基づいて検像管理テーブル２５４を作成し（ステップＡ４）、検像装置３から送信される検像権要求信号の受信を待機する（ステップＡ５）。
【００９５】
一方、検像装置３のＣＰＵ３０は、ログイン処理を行ってユーザ情報３５０を取得し（ステップＢ１）、サーバ２から送信される検像リストデータ２５３を受信する（ステップＢ２）。そして、その受信した検像リストデータ２５３に基づいて検像リスト画面１００を表示部３２に表示させ（ステップＢ３）、ユーザの検査選択ボタン１０４の指定操作に応じて検像対象の検査が選択されるまで待機する（ステップＢ４）。
【００９６】
ＣＰＵ３０は、検査選択ボタン１０４の指定操作を検知すると（ステップＢ４；Ｙｅｓ）、検像リスト画面１００において選択された医用画像データＤＴ１の検査ＩＤと、ユーザ情報３５０とを含む検像権要求信号をサーバ２に送信する（ステップＢ５）。
【００９７】
例えば、図７の検像リスト画面１００においてＮｏ．１０の医用画像データＤＴ１０１が選択された状態で検査選択ボタン１０４が指定された場合には、検査ＩＤ“１１１１１１１１”を含む検像権要求信号がサーバ２に送信される。
【００９８】
サーバ２側のＣＰＵ２０は、検像装置３から検像権要求信号を受信すると（ステップＡ５；Ｙｅｓ）、検像権要求信号に含まれる検査ＩＤと、検像管理テーブル２５４とに基づいて、ユーザに選択された検査（選択検査）が検像済みであるか否かを判定する（ステップＡ６）。
【００９９】
ＣＰＵ２０は、選択検査が検像済みであると判定した場合には（ステップＡ６；Ｙｅｓ）、検像済信号を検像装置３に送信する（ステップＡ７）。また、選択検査が検像済ではないと判定した場合には、次いで、選択検査が検像中でるか否かを判定する（ステップＡ６→Ａ８）。
【０１００】
そして、検像管理テーブル２５４に基づいて選択検査が検像中であると判定した場合には（ステップＡ８；Ｙｅｓ）、検像ロック信号を検像装置３に送信する（ステップＡ９）。ＣＰＵ２０は、ステップＡ７及びＡ９の処理後は、図４のフローチャートの処理を終了する。
【０１０１】
検像装置３のＣＰＵ３０は、サーバ２から送信される信号の検知を行い、検像済信号を受信したと判定した場合（ステップＢ６；Ｙｅｓ）、選択検査が検像済みであることを示すメッセージを例えば、図８（ａ）のメッセージ画面Ｍ１によって表示部３２に表示させる（ステップＢ７）。
【０１０２】
また、ＣＰＵ３０は、サーバ２から検像ロック信号を受信したと判定した場合には（ステップＢ８；Ｙｅｓ）、選択検査が検像中であることを示すメッセージを例えば、図８（ｂ）のメッセージ画面Ｍ２によって表示部３２に表示させる（ステップＢ９）。
【０１０３】
ＣＰＵ３０は、ステップＢ７及びＢ９におけるメッセージの表示後は、ステップＢ１２の検像処理は行わずに図４のフローチャートを終了する。これにより、他の検像装置３において検像が既に行われていたり、検像中である場合には、医用画像データＤＴ１に対して複数回の検像を行なわれないようにすることができる。
【０１０４】
サーバ２のＣＰＵ２０は、ステップＡ８において選択検査が検像中ではないと判定した場合（ステップＡ８；Ｎｏ）、検像許可信号を作成して検像装置３に送信する（ステップＡ１０）。そして、ステップＡ５において受信した検像権要求信号に含まれるユーザ情報３５０に基づいて検像管理テーブル２５４の検像権ユーザ２５４ｃを設定する（ステップＡ１２）。
【０１０５】
次いでＣＰＵ２０は、検像権要求信号に含まれる検査ＩＤを含む医用画像データＤＴ１とオーダ情報ＤＴ５、即ち選択検査の医用画像データＤＴ１とオーダ情報ＤＴ５を検像装置３に送信した後（ステップＡ１３）、当該検像装置３により検像処理が施された医用画像データＤＴ１の受信を待機する（ステップＡ１４）。
【０１０６】
そして、ＣＰＵ２０は、検像済みの医用画像データＤＴ１を検像装置３から受信すると（ステップＡ１４；Ｙｅｓ）、その医用画像データＤＴ１を検像済み画像ＤＢ２５２に記憶する。
【０１０７】
一方、検像装置３のＣＰＵ３０は、ステップＢ８において検像ロック信号を受信しないと判定した場合には（ステップＢ８；Ｎｏ）、サーバ２から検像許可信号を受信したか否かを判定する（ステップＢ１０）。そして、当該検像許可信号を受信しないと判定した場合には（ステップＢ１０；Ｎｏ）、ステップＢ６に処理を移行して、サーバ２から検像済信号、検像ロック信号及び検像許可信号の何れかを受信するまで待機する。
【０１０８】
このとき、検像許可信号を受信した場合には（ステップＢ１０；Ｙｅｓ）、続いてサーバ２から送信されてくる医用画像データＤＴ１とオーダ情報ＤＴ５とを受信して、検像画像テーブル３５１及びオーダ情報テーブル３５２に記憶する（ステップＢ１１）。
【０１０９】
ＣＰＵ３０は、検像画像テーブル３５１に記憶された医用画像データＤＴ１と、オーダ情報テーブル３５２に記憶されたオーダ情報ＤＴ５とを用いて図５及び６に示す検像処理を行い（ステップＢ１２）、当該検像処理後の医用画像データＤＴ１、即ち、検像済みの医用画像データＤＴ１をサーバ２に送信する（ステップＢ１３）。
【０１１０】
次に、ステップＢ１２における検像処理の詳細について説明する。ＣＰＵ２０は、検像処理を開始すると、先ず、選択検査の検査ＩＤを含む医用画像データＤＴ１の付帯情報ＤＴ２とオーダ情報ＤＴ５とに基づいて不整合修正画面１１０を表示部３０に表示させる（ステップＣ１）。そして、当該不整合修正画面１１０上の部分書換ボタン１１１、一括書換ボタン１１２及びキャンセルボタン１１３の押下に応じた処理を行う。
【０１１１】
具体的には、部分書換ボタン１１１の押下を入力部３１からの操作信号に応じて検知した場合には（ステップＣ２；Ｙｅｓ）、その押下された部分書換ボタン１１１に対応する付帯情報ＤＴ２を、同一の項目のオーダ情報ＤＴ５で仮書き換えする（ステップＣ３）。
【０１１２】
また、一括書換ボタン１１２が押下されたことを検知した場合には（ステップＣ６；Ｙｅｓ）、不整合修正画面１１０に表示中の全付帯情報ＤＴ２をオーダ情報ＤＴ５で仮書き換えする（ステップＣ７）。
【０１１３】
また、キャンセルボタン１１３が押下されたことを検知した場合には（ステップＣ８；Ｙｅｓ）、ステップＣ３又はＣ７において仮書き換えした付帯情報ＤＴ２の内容をリセットし（ステップＣ９）、表示部３２の表示を検像リスト画面１００に戻す（ステップＣ１０）。
【０１１４】
ＣＰＵ３０は、ステップＣ３、Ｃ７の処理後、又はステップＣ８においてキャンセルボタン１１３が押下されないと判定した場合（ステップＣ８；Ｎｏ）、ＯＫボタン１１４が押下されたか否かを判定する（ステップＣ４）。
【０１１５】
このとき、ＯＫボタン１１４が押下されたことを検知した場合には（ステップＣ４；Ｙｅｓ）、ステップＣ４又はＣ７の書き仮換え内容に基づいて検像画像テーブル３５１の医用画像データＤＴ１を更新し（ステップＣ５）、ステップＣ１に処理を移行する。
【０１１６】
ＣＰＵ３０は、ステップＣ１０において検像リスト画面１００を表示すると、選択検査の医用画像データＤＴ１を検像画像テーブル３５１から読み出して画像確認画面１２０の表示を行う。
【０１１７】
具体的には、検像リスト画面１００上で選択されている医用画像データＤＴ１の検査ＩＤを取得し、その検査ＩＤを有する医用画像データＤＴ１を検像画像テーブル３５１から読み出す。そして、その読み出したシリーズ毎の医用画像データＤＴ１を一覧表示（例えば、サムネイル表示）する図１０のような画像確認画面１２０を表示部３２に表示させる（ステップＣ１１）。
【０１１８】
ＣＰＵ２０は、画像確認画面１２０上の各ボタンの押下に応じた処理を行う。具体的には、各医用画像データＤＴ１に対応するＮＧボタン１２３の押下を検知した場合には（ステップＣ１２；Ｙｅｓ）、そのＮＧボタン１２３に対応する医用画像データＤＴ１を検像画像テーブル３５１から削除する（ステップＣ１３）。
【０１１９】
また、画像処理ボタン１２４の押下を検知した場合には（ステップＣ１４；Ｙｅｓ）、当該画像処理ボタン１２４の押下に応じて入力された画像処理条件（例えば、コントラスト比の濃度の変更）を取得して（ステップＣ１５）、表示中の医用画像データＤＴ１に画像処理を施して更新する（ステップＣ１６）。
【０１２０】
また、図１０に示す付帯情報修正ボタン１２７が押下されたことを検知した場合には（ステップＣ１７；Ｙｅｓ）、付帯情報入力エリア１２８に入力された付帯情報を取得して（ステップＣ１８）、検像画像テーブル３５１内の医用画像データＤＴ１の付帯情報ＤＴ２を更新する（ステップＣ１９）。
【０１２１】
また、シリーズ分割ボタン１２５が押下されたことを検知した場合には（ステップＣ２０；Ｙｅｓ）、画像確認画面１２０上に表示中の医用画像データＤＴ１をシリーズ毎にシリーズ分割画面１３０上に表示させる（ステップＣ２１）。そして、その表示したシリーズ毎に医用画像データＤＴ１に対するユーザのシリーズ分割操作に応じて新たなシリーズＩＤを付帯情報ＤＴ２に設定して、検像画像テーブル３５１内の医用画像データＤＴ１を更新する（ステップＣ２２）。
【０１２２】
ＣＰＵ３０は、ステップＣ１３，Ｃ１６，Ｃ１９及びＣ２２の処理後、検査終了ボタン１２６の押下を検知するまで、ステップＣ１１に処理を移行して、ステップＣ１２〜Ｃ２３の処理を繰り返す。
【０１２３】
以上、本実施形態によれば、サーバ２が検像フラグ２５４ｂを検像管理テーブル２５４に記憶して検査毎の検像状況を検像フラグ２５４ｂによって管理しているため、既に検像済みの医用画像データＤＴ１に対して再度検像が行われることを防止できる。また、検像処理が行われている途中の検像中の医用画像データＤＴ１に対して重複して検像が行われることを防止できる。
【０１２４】
このため、一検査中の一連の医用画像データＤＴ１に対して、一人のユーザによる検像のみが施されるようになり、複数人のユーザにより検像が施されて、検像の精度がぶれてしまうことを回避できる。従って、複数の検像装置３を有するＰＡＣＳ１において、医用画像データＤＴ１に対する検像処理の精度を維持することができる。
【０１２５】
尚、上述した実施形態では、選択検査の検像フラグ２５４ｂが検像中又は検像済みであることをユーザに通知することとして説明したが、例えば、次のようにしてもよい。具体的には、ステップＡ６及びＡ８において選択検査が検像済み又は検査中であると判定した場合には、その選択検査の検査ＩＤ２５４ａに対応付けられた検像権ユーザ２５４ｃを検像管理テーブル２５４から読み出し、その検像権ユーザ２５４ｃを検像済信号及び検像ロック信号に含めて検像装置３に送信する。
【０１２６】
これにより、検像済信号及び検像ロック信号を受信した検像装置３は、当該検像装置３側のユーザが選択した検査に対して検像を行った他のユーザの情報を、図８（ｂ）のメッセージ画面Ｍ２の「○○医師」のようにして通知することができるようになる。
【０１２７】
また、上述した実施形態においては、検像の進行状況を検査毎に管理することとして説明したが、例えば、シリーズ毎に検像の進行状況を管理することとしてもよい。具体的には、サーバ２のＣＰＵ２０は、検像待ち画像ＤＢ２５０に記憶している医用画像データＤＴ１からシリーズＩＤを取得し、当該シリーズＩＤに検像フラグ２５４ｂと検像権ユーザ２５４ｃとを対応付けて検像管理テーブル２５４を作成する。
【０１２８】
この場合、検像装置３のＣＰＵ３０は、ユーザにより選択された医用画像データＤＴ１のシリーズＩＤを取得して、検像権要求信号に含めてサーバ２に送信する。サーバ２のＣＰＵ２０は、検像権要求信号に含まれるシリーズＩＤに対応付けられた検像フラグ２５４ｂに基づいて検像状況を判定して、その判定結果に応じて上述した実施形態と同様に、検像済信号や検像ロック信号、検像許可信号を検像装置３に送信する。
【０１２９】
このようにシリーズ毎に検像の進行状況を管理することで、一シリーズ中の一連の医用画像データＤＴ１に対して、一人のユーザによる検像のみが施されるようすることができるようになる。
【図面の簡単な説明】
【０１３０】
【図１】放射線科システムのシステム構成の一例を示すブロック図。
【図２】サーバ及び検像装置の機能構成の一例を示すブロック図。
【図３】（ａ）サーバの記憶部、（ｂ）検像リストデータ、（ｃ）検像管理テーブル、（ｄ）検像装置の記憶部のデータ構成例を示す図。
【図４】ＰＡＣＳの動作を説明するためのフローチャート。
【図５】検像処理の処理内容を説明するための第１のフローチャート。
【図６】検像処理の処理内容を説明するための第２のフローチャート。
【図７】検像リスト画面の表示例を示す図。
【図８】メッセージ画面の表示例を示す図。
【図９】不整合修正画面の表示例を示す図。
【図１０】画像確認画面の表示例を示す図。
【図１１】シリーズ分割画面の表示例を示す図。
【符号の説明】
【０１３１】
１      ＰＡＣＳ
２      サーバ
３      検像装置
２１    入力部
２２    表示部
２３    通信部
２４    ＲＡＭ
２５    記憶部
２５０  検像待ち画像ＤＢ
２５１  オーダ情報ＤＢ
２５２  検像済み画像ＤＢ
２５３  検像リストデータ
２５４    検像管理テーブル
２５４ａ  検査ＩＤ
２５４ｂ  検像フラグ
２５４ｃ  検像権ユーザ
ＤＴ１  医用画像データ
ＤＴ２  付帯情報
ＤＴ２０  患者情報
ＤＴ２１  検査情報
ＤＴ２２  シリーズ情報
ＤＴ３  実画像データ
ＤＴ５  オーダ情報
Ｍ      モダリティ
【図１】
2008161640.tif 000003
【図２】
2008161640.tif 000004
【図３】
2008161640.tif 000005
【図４】
2008161640.tif 000006
【図５】
2008161640.tif 000007
【図６】
2008161640.tif 000008
【図７】
2008161640.tif 000009
【図８】
2008161640.tif 000010
【図９】
2008161640.tif 000011
【図１０】
2008161640.tif 000012
【図１１】
2008161640.tif 000013